(57)【要約】【課題】電源の冷却効率が高められたインクジェットプリンタを提供する。【解決手段】インクジェットヘッドを往復運動させるキャリアモータ４が設けられている。キャリアモータ４の後方には、傘歯車７が設けられている。傘歯車７は傘歯車８と噛み合っている。傘歯車８には、ファン９が固定されている。電源２は、ファン９に対向するように配置されている。したがって、キャリアモータ４の駆動によってファン９が回転したときに、ファン９が生成した気流が電源２に直接衝突する。【選択図】図２
2007326274.tif 000002
【特許請求の範囲】
【請求項１】
インクジェットヘッドを移動させるキャリアモータと、
前記キャリアモータに電力を供給する電源と、
前記キャリアモータの回転駆動軸に取付けられた第１の傘歯車と、
前記第１の傘歯車に噛み合う第２の傘歯車と、
前記第２の傘歯車とともに回転するファンとを備え、
前記ファンの回転中心軸は、前記電源に向けられて配置され、
前記電源は、壁面の近傍に配置され、
前記壁面には、開口が設けられ、
前記ファンが生成した風が、前記電源に衝突して前記開口から外部へ放出されるか、または、前記開口から前記電源に向けて流れるように、前記開口と前記電源との位置関係が設定され、
前記キャリアモータの回転駆動軸と、前記ファンの回転中心軸とは、垂直に交わるように配置されている、インクジェットプリンタ。
【請求項２】
インクジェットヘッドを移動させるキャリアモータと、
前記キャリアモータに電力を供給する電源と、
前記キャリアモータの回転駆動軸に取付けられた第１の傘歯車と、
前記第１の傘歯車に噛み合う第２の傘歯車と、
前記第２の傘歯車とともに回転するファンとを備え、
前記ファンの回転中心軸は、前記電源に向けられて配置されている、インクジェットプリンタ。
【請求項３】
前記電源は、壁面の近傍に配置され、
前記壁面には、開口が設けられ、
前記ファンが生成した風が、前記電源に衝突して前記開口から外部へ放出されるか、または、前記開口から前記電源に向けて流れるように、前記開口と前記電源との位置関係が設定されている、請求項２に記載のインクジェットプリンタ。
【請求項４】
前記キャリアモータの回転駆動軸と、前記ファンの回転中心軸とは、垂直に交わるように配置されている、請求項２に記載のインクジェットプリンタ。
【発明の詳細な説明】
【技術分野】
【０００１】
本発明は、インクジェットヘッドからインクを吐出するインクジェットプリンタに関するものである。
【背景技術】
【０００２】
従来からインクジェットプリンタが用いられている。従来のインクジェットプリンタにおいては、図３に示されるように、インクタンク３を有するインクジェットヘッド５が矢印Ｃで示す方向に往復運動することにより、用紙に印字が行なわれる。インクジェットヘッド５は、ベルト６に取付けられている。ベルト６は、キャリアモータ４によって往復巡回するように配置されている。
【０００３】
具体的には、キャリアモータ４の正面側に延びる回転駆動軸４ａにプーリ４ｃが設けられている。プーリ４ｃにはベルト６が接触している。また、ベルト６の他方側にも図示しないプーリが設けられ、そのプーリにベルト６が接触している。したがって、キャリアモータ４の回転駆動軸４ａの回転往復運動に伴ってプーリ４ｃも回転往復運動すれば、プーリ４ｃと他のプーリとの間でベルト６が往復巡回する。
【０００４】
また、キャリアモータ４の背面側にはキャリアモータ４の回転駆動軸４ａが延びている。回転駆動軸４ａにはフレキシブルワイヤ１７が接続されている。フレキシブルワイヤ１７は、軸まわりの回転を伝達するが、曲げ方向の力を伝達しない部材によって構成されている。
【０００５】
また、フレキシブルワイヤ１７の先端にはファン９が取付けられており、ファン９は、壁面１の開口１ａにおいて外部に面している。また、ファン９は、矢印Ｄで示す方向に空気の流れを生成する。それにより、ファン９とキャリアモータ４との間の空間において、気流が生成され、その気流の下側に配置された電源２が冷却される。
【特許文献１】実開平６−６４８８６号公報
【特許文献２】特開２００５−２８０１４１号公報
【特許文献３】特開２００２−３２１３４３号公報
【発明の開示】
【発明が解決しようとする課題】
【０００６】
上記従来のインクジェットプリンタによれば、矢印Ｄで示されるファン９が生成する気流は、電源２に対して直接衝突するものではない。したがって、電源２の冷却効率は高いとは言いがたいものである。
【０００７】
本発明は、上述の問題に鑑みなされたものであり、その目的は、電源の冷却効率がさらに高められたインクジェットプリンタ提供することである。
【課題を解決するための手段】
【０００８】
本発明の一の局面のインクジェットプリンタは、インクジェットヘッドを移動させるキャリアモータと、キャリアモータに電力を供給する電源と、キャリアモータの回転駆動軸に取付けられた第１の傘歯車と、第１の傘歯車に噛み合う第２の傘歯車と、第２の傘歯車とともに回転するファンとを備えている。
【０００９】
また、ファンの回転中心軸は、電源に向けられて配置されている。また、電源は、壁面の近傍に配置されている。また、壁面には、開口が設けられている。また、ファンが生成した風が、電源に衝突して開口から外部へ放出されるか、または、開口から電源に向けて流れるように、開口と電源との位置関係が設定されていている。また、キャリアモータの回転駆動軸と、ファンの回転中心軸とは、垂直に交わるように配置されている。
【００１０】
上記一の局面のインクジェットプリンタによれば、以下の他の局面のインクジェットプリンタによって得られる効果を得ることができる。
【００１１】
本発明の他の局面のインクジェットプリンタは、インクジェットヘッドを移動させるキャリアモータと、キャリアモータに電力を供給する電源と、キャリアモータの回転駆動軸に取付けられた第１の傘歯車と、第１の傘歯車に噛み合う第２の傘歯車と、第２の傘歯車とともに回転するファンとを備えている。また、ファンの回転中心軸は、電源に向けられて配置されている。
【００１２】
上記の構造によれば、ファンが生成した風が、直接的に電源に送られるか、または、電源から吸い込まれる。したがって、電源の熱を放散させるための効率が向上する。
【００１３】
また、電源は、壁面の近傍に配置され、壁面には、開口が設けられ、ファンが生成した風が、電源に衝突して開口から外部へ放出されるか、または、開口から電源に向けて流れるように、開口と電源との位置関係が設定されていてもよい。
【００１４】
これによれば、電源と外部空間との間で効率的に熱交換を行うことができる。
また、キャリアモータの回転駆動軸と、ファンの回転中心軸とは、垂直に交わるように配置されていてもよい。
【００１５】
上記の構造によれば、インクジェットプリンタ内の空間を有効利用することができる。
【発明を実施するための最良の形態】
【００１６】
以下、本発明の実施の形態のインクジェットプリンタを図１および２を用いて説明する。
【００１７】
本実施の形態のインクジェットプリンタは、壁面１内にインクタンク３を有するインクジェットヘッド５が設けられている。インクジェットヘッド５は、ベルト６によって矢印Ｃで示す方向に往復運動する。
【００１８】
具体的には、ベルト６は、キャリアモータ４の正面側の回転駆動軸４ａの先端に設けられたプーリ４ｃと図示されていない他のプーリとに架け渡されている。また、キャリアモータ４の回転が回転駆動軸４ａおよびプーリ４ｃによってベルト６に伝達される。それにより、ベルト６がプーリ４ｃと他のプーリとの間を往復巡回する。
【００１９】
また、キャリアモータ４の背面側の回転駆動軸４ａは、後方に延長されている。キャリアモータ４の後方側の回転駆動軸４ａの先端には、傘歯車７が設置されている。
【００２０】
傘歯車７は、他の傘歯車８と噛み合っている。傘歯車８には連結部材１１を介してファン９が固定されている。また、回転中心軸１０が傘歯車８の中心部の貫通孔８ａを貫通している。回転中心軸１０は、円柱状であり、Ｌ型に折れ曲がっている。また、回転中心軸１０の一端は壁面１に固定され、回転中心軸１０の他端には傘歯車８を支える平板部が設けられている。したがって、傘歯車８は、平板部および回転中心軸１０によって回転可能に支持されている。つまり、傘歯車８は、回転中心軸１０まわりに回転することができる。
【００２１】
また、キャリアモータ４が駆動しているときには、ベルト６の巡回によってインクジェットヘッド５が往復循環するとともに、傘歯車７が回転駆動軸４ａまわりに回転往復運動する。それにより、傘歯車７と噛み合う傘歯車８も回転往復運動する。さらに、傘歯車８に固定されたファン９も回転往復運動する。したがって、矢印Ｅで示す方向に気流が生成される。
【００２２】
これにより、ファン９の回転中心軸１０の延長線上に設けられた電源２には、矢印Ｅで示される気流が衝突する。それにより、壁面１の側面に設けられた開口１ｂおよび壁面１の底面に設けられた開口１ａのそれぞれから、ファン９によって生成された気流が出入りする。その結果、電源２が有する熱が、空気と熱交換され易くなる。つまり、電源２の冷却性能が高められる。
【００２３】
また、キャリアモータ４の回転駆動軸４ａと、ファン９の回転中心軸１０とは互いに垂直に交差している。したがって、ほぼ直方体の内部空間を有するインクジェットプリンタの壁面１内の空間を有効利用することが可能となっている。
【００２４】
なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【００２５】
【図１】実施の形態のインクジェットプリンタの平断面図である。
【図２】図１のＩＩ−ＩＩ線断面図である。
【図３】従来のインクジェットプリンタの平断面図である。
【符号の説明】
【００２６】
１  壁面、１ａ，ｂ  開口、２  電源、４  キャリアモータ、５  インクジェットヘッド、６  ベルト、７  傘歯車、８  傘歯車、９  ファンモータ。
【図１】
2007326274.tif 000003
【図２】
2007326274.tif 000004
【図３】
2007326274.tif 000005